(57)【要約】【課題】ＬＥＤ照明によって庫内の照度を均一化して明るく見える冷蔵庫を提供することを目的とする。【解決手段】貯蔵室内背面の中央よりに設けたＬＥＤ照明９と、貯蔵室内に設けた第一の棚６ａと、第一の棚６ａの下方に設けた第二の棚６ｂと、第一の棚６ａの後部に設けられてＬＥＤ照明９の照射光を透過する照射部１１と、を備え、照射部１１はこの照射部１１を透過した照射光を第二の棚６ｂの前端から後端まで照射するように屈折させることを特徴とする。【選択図】  図３
2012145297.tif 000002
【特許請求の範囲】
【請求項１】
貯蔵室内背面の中央よりに設けたＬＥＤ照明と、前記貯蔵室内に設けた第一の棚と、前記第一の棚の下方に設けた第二の棚と、前記第一の棚の後部に設けられて前記ＬＥＤ照明の照射光を透過する照射部と、を備え、前記照射部は該照射部を透過した照射光を前記第二の棚の前端から後端まで照射するように屈折させることを特徴とする冷蔵庫。
【請求項２】
前記ＬＥＤ照明は、光軸が水平方向よりも下方となるように傾斜配置することを特徴とする、請求項１記載の冷蔵庫。
【請求項３】
前記照射部は、該照射部背面に対して前面が下向きに徐々に近づくように勾配形状部を備えたことを特徴とする、請求項１又は２記載の冷蔵庫。
【請求項４】
前記ＬＥＤ照明を覆う照明カバー又は前記照射部は、前記ＬＥＤ照明の照射光を左右方向に拡散する凹凸形状部を有することを特徴とする、請求項１又は２記載の冷蔵庫。
【発明の詳細な説明】
【技術分野】
【０００１】
本発明は、冷蔵庫に関する。
【背景技術】
【０００２】
近年、照明装置として発光ダイオード（ＬＥＤ，light emitting diode）照明の普及が進んでおり、冷蔵庫の庫内照明においてもＬＥＤ照明の採用が進められている。
【０００３】
特許文献１には、光透過性の高い透明色で光反射性の高い平面度を兼ね備えた棚を庫内に用い、庫内灯装置にＬＥＤランプを採用することが記載されている。
【０００４】
特許文献２には、導光性を有する四角形状の棚板の角部を切り欠いて、発光ダイオード素子が発する光を取り入れる入光部を設ける点、発光ダイオード素子は、棚板の中央域の方向に光軸が向くように配設した発光ダイオード素子と、棚板の周辺部に沿って光軸が向くように配設した発光ダイオード素子とを備える点が記載されている。
【先行技術文献】
【特許文献】
【０００５】
【特許文献１】特開２００７−３２８６１号公報
【特許文献２】特開２００７−１３２５６２号公報
【発明の概要】
【発明が解決しようとする課題】
【０００６】
しかしながら、特許文献１及び２では、冷蔵庫の庫内灯としてＬＥＤ照明を適用する場合、庫内全体を明るく照射するには不十分となるおそれがある。なぜならば、ＬＥＤの照射光は指向性が高く、従来の白熱電球や蛍光灯の照明手段に比較して庫内全体を均一化して照射することが難しいためである。また、棚上に貯蔵物を載置した場合、遮光されて庫内が暗くなるおそれがある。
【０００７】
さらに、ＬＥＤ照明では、明るい部分と暗い部分の照度差が大きくなる。この照度の明るい部分と暗い部分の合計した照度が、従来の照明手段と同じ場合、照度の明るい部分はＬＥＤ照明の方が従来の照明手段に比べてより明るくなる。そして、人間の目は照度の明るい部分に大きく影響を受けて、目の虹彩が絞られてしまうため、照明の暗い部分が更に暗く見えて、庫内全体としては暗く見えてしまう。この照度の明るい部分に大きく影響を受けることは、冷蔵庫の扉を開けて食品を収納又は取り出すような、照明手段に顔が近接した状態において更に顕著になる。
【０００８】
そこで本発明は、ＬＥＤ照明によって庫内の照度を均一化して明るく見える冷蔵庫を提供することを目的とする。
【課題を解決するための手段】
【０００９】
上記課題を解決するために、本発明は、例えば特許請求の範囲に記載の構成を採用する。一例として、貯蔵室内背面の中央よりに設けたＬＥＤ照明と、前記貯蔵室内に設けた第一の棚と、前記第一の棚の下方に設けた第二の棚と、前記第一の棚の後部に設けられて前記ＬＥＤ照明の照射光を透過する照射部と、を備え、前記照射部は該照射部を透過した照射光を前記第二の棚の前端から後端まで照射するように屈折させることを特徴とする。
【発明の効果】
【００１０】
ＬＥＤ照明によって庫内の照度を均一化して明るく見える冷蔵庫を提供することができる。
【図面の簡単な説明】
【００１１】
【図１】本発明の一実施例における冷蔵庫正面外観の斜視図。
【図２】本発明の一実施例における冷蔵庫の冷蔵室内の正面図。
【図３】本発明の一実施例における冷蔵室の縦断面図。
【図４】本発明の一実施例における棚フランジによるＬＥＤ照明の照射光拡散の模式図。
【図５】本発明の一実施例における照明カバーによるＬＥＤ照明の照射光拡散の模式図。
【図６】本発明の一実施例における照明カバーの凹凸形状と照射光の模式図。
【発明を実施するための形態】
【００１２】
以下、図面に基づき本発明の一実施例について説明する。図１は、冷蔵庫本体１の正面図である。図２は、冷蔵庫の冷蔵室内の正面図である。図３は、冷蔵室の縦断面図である。図４は、棚フランジによるＬＥＤ照明の照射光拡散の模式図である。図５は、照明カバーによるＬＥＤ照明の照射光拡散の模式図である。図６は、照明カバーの凹凸形状と照射光の模式図である。
【００１３】
本実施形態における冷蔵庫本体は、外箱１ａと内箱１ｂの間に断熱材を充填させた断熱箱体２内に、上段から順に、冷蔵室３，野菜室４，冷凍室５の各貯蔵室を有して構成されている。各貯蔵室の前方には、冷蔵室扉３ａ，野菜室扉４ａ，冷凍室扉５ａが開閉自在に設けられている。本実施例では、冷蔵室扉３ａは一端の上下に設けたヒンジを介して回動する回転扉である。野菜室扉４ａと冷凍室扉５ａは、内箱１ｂに設けたレールを介して前後に引き出し／押し込み可能な引き出し扉である。なお、開閉可能な構成であれば、扉の構成はこれらに限定するものではなく、各種の公知の扉構造を採用できる。
【００１４】
冷蔵室３内には棚６が複数配置され、冷蔵室３内を上下方向に区画している。棚６は、透明又は半透明で光を透過する部材、例えば樹脂又はガラスで構成している。内箱１ｂの側壁には、棚６を載置する凸形状の棚係合部１ｃが左右に一対上下方向に複数設けられており、この一対の棚係合部１ｃに棚６がそれぞれ載置されて固定される。
【００１５】
棚６の背面、すなわち内箱１ｂの前面には、冷気通路を備えた背面パネル７が配置されている。背面パネル７は、高熱伝導性部材、例えばアルミニウム等の金属で構成することで、冷蔵室３内の温度むらを抑制して、冷蔵保存性を向上できる。
【００１６】
背面パネル７と棚６との間には、照明カバー８が配置される。照明カバー８は、冷蔵室３内の中央よりに設けられており、照明カバー８を挟んで背面パネル７の左右に設けた冷気吹出し口から、冷蔵室３内に冷気が供給される。
【００１７】
照明カバー８の後方、すなわち貯蔵室内背面には、ＬＥＤ照明９が配置される。ＬＥＤ照明９は発光ダイオードを実装した電子基板部品であり、背面パネル７に備えた基板固定構造によって固定している。基板を固定する方法としては、別途固定部品を用いて、背面パネル７もしくは庫内壁面部１０に固定することも可能である。
【００１８】
棚６は上下方向に複数枚配置し、各棚６の後方中央にそれぞれＬＥＤ照明９を上下方向に配設する。ＬＥＤ照明９を一つの棚６に複数箇所、例えば左右１箇所ずつの合計２箇所に配設することも可能であるが、ＬＥＤ照明９同士の中間部が相対的に暗くなってしまうため、均一な照明とするためには左右方向中央に１箇所配置する構成がよい。
【００１９】
棚６の後部には照射部１１を備える。照射部１１は、棚６の貯蔵物載置面６ｃよりも下向に延びるフランジ形状である。また、照射部１１は棚６と一体の薄肉形状であって、ＬＥＤ照明９の光軸の延長線上前方に位置する。すなわち、ＬＥＤ照明９の照射光が照射部１１に当たって透過するように、照射部１１の後方にＬＥＤ照明９が配置される。
【００２０】
また、照射部１１は照射部背面１１ａに対して照射部前面１１ｂが下向きに徐々に近づくように勾配形状部を備え、照射部背面１１ａから入射した光は照射部前面１１ｂで下方に拡散される（図４参照）。
【００２１】
また、ＬＥＤ照明９は、第一の棚６ａの照射部１１を通過して拡散した照射光が、第一の棚６ａの一段下に配置した第二の棚６ｂの前端部から後端部まで照射可能である。
【００２２】
さらに、ＬＥＤ照明９を斜め下方向に向けて傾斜配置する（図３，図４参照）。すなわち、光軸が水平方向よりも下方となるように傾斜配置することで、照射部１１による下方への拡散効果をより促進することができる。
【００２３】
次に、照明カバー８は、図５に示すように背面側に凹凸形状部１２を備え、光を左右方向に拡散させる。凹凸形状部１２の拡大模式図を図６（ａ）〜（ｄ）に示す。
【００２４】
図６（ａ）は、半円形状の断面の凹凸形状部１２ａを平面上に有している。図６（ｂ）は、三角形状の断面の凹凸形状部１２ｂを平面上に有している。図６（ｃ）は、半円形状の断面の凹凸形状部１２ｃを曲面上に有している。図６（ｄ）は、三角形状の断面の凹凸形状部１２ｄを曲面上に有している。図６（ａ）〜（ｄ）のいずれの形状であっても、第一の棚６ａの照射部１１を通過したＬＥＤ照明９の照射光が、第一の棚６ａの下方の第二の棚６ｂの左端及び右端まで照らすことができる。
【００２５】
また、凹凸形状部１２を照明カバー８ではなく、棚６の照射部１１に設けることで、ＬＥＤ照明９の照射光を左右方向に拡散することも可能である。
【００２６】
以上の構成により、第一の棚６ａの後方中央に配置したＬＥＤ照明９の照射光は照明カバー８（又は照射部１１）の凹凸形状部１２によって左右方向に拡散されて、棚６の照射部１１によって前後方向に拡散されて、第一の棚６ａの一段下の第二の棚６ｂ全体を均一な明るさで照明することができる。
【００２７】
また、各棚６に同様の構成でＬＥＤ照明９を配設することで、貯蔵室内全体を均一で明るく照明することが可能となる。
【００２８】
さらに、内箱１ｂ側面にＬＥＤ照明９を配設する構成においても、同様の効果が得られる。内箱１ｂ側面に配置する場合は、ＬＥＤ照明９を前方に配設して、光軸が斜め後方に向かうように設置する。そして、棚６の左右端にそれぞれ照射部１１を設けることで、貯蔵室を前方から明るく照射することができる。
【００２９】
また、貯蔵室内をより明るく照射する手段として、内箱１ｂ天井面前方にＬＥＤ照明９を追加配置する構成とする。内箱１ｂ天井面前方にＬＥＤ照明９を配置することで、貯蔵室前方側からも照射することができる。この場合、内箱１ｂ天井面の中央部の１箇所にＬＥＤ照明９を配置すれば、光源間で相対的に暗くなる部分もなく、効率的な照明が可能である。
【００３０】
以上のように、本実施例によれば、斜め下方向に照射されたＬＥＤ照明の照射光は、照明カバー又は第一の棚の照射部によって左右方向に拡散されて、第一の棚の照射部によって前後方向に拡散されて、第一の棚下方の第二の棚上の収納空間を均一に照射することができる。
【００３１】
また、ＬＥＤ照明の照射光は第一の棚の下方に拡散して照射することから、第一の棚の上に食品を置いた状態でも、照射光は遮られることがなく、第二の棚上を均一に照射できる。これによって、従来に較べて照度を均一化して貯蔵室内を照明することができる。
【符号の説明】
【００３２】
１  冷蔵庫本体
１ａ  外箱
１ｂ  内箱
２  断熱箱体
６  棚
６ａ  第一の棚
６ｂ  第二の棚
６ｃ  貯蔵物載置面
７  背面パネル
８  照明カバー
９  ＬＥＤ照明
１０  庫内壁面部
１１  照射部
１１ａ  照射部背面
１１ｂ  照射部前面
１２，１２ａ，１２ｂ，１２ｃ，１２ｄ  凹凸形状部
【図１】
2012145297.tif 000003
【図２】
2012145297.tif 000004
【図３】
2012145297.tif 000005
【図４】
2012145297.tif 000006
【図５】
2012145297.tif 000007
【図６】
2012145297.tif 000008